(57)【要約】  磁性衛生強化木床板は、耐摩耗層（１）、装飾層（２）、基板材料層（３）、平衡層（４）、および平衡層（４）の底部に組み立てられた磁性シート（５）を含む。床表面の磁気誘導は１〜２０Ｇである。磁性シート（５）は、１００シェアーの磁粉、５〜３０シェアーのポリマー、および０．１〜５シェアーの添加剤から構成される。この木板材を製造するためには、２つの工程、すなわち第１は、耐摩耗層（１）と、装飾層（２）と、基板材料層（３）と、平衡層（４）とを高温圧縮によって合成させた後、４縁部の周りの切削、のこ引き、および平削りとフライス削りによって正規の強化木床板を作る工程と、第２は、適当な接着剤を使用して平衡層（４）の底部に磁性シート（５）を貼り付ける工程がある。
2008527214.tif 000002
【特許請求の範囲】
【請求項１】
磁性ヘルスケア積層木床板であって、順番に結合された耐摩耗層１、装飾層２、芯層３、および磁性シート５を含み、表面の磁気誘導強度が１から２０Ｇまでであることを特徴とする磁性ヘルスケア積層木床板。
【請求項２】
平衡層４が磁性シート５の頂部に結合されていることを特徴とする請求項１に記載の磁性ヘルスケア積層木床板。
【請求項３】
前記磁性シート５が次の成分を重量部に基づいて含み、
Ａ：磁粉        １００
Ｂ：ポリマー    ５から３０まで
前記磁粉はフェライト系またはＮｄ−Ｆｅ−Ｂ系の永久磁粉であり、前記ポリマーはゴム、熱可塑性高分子樹脂、および熱硬化性高分子樹脂から成る群から選択された１つまたは複数の種類であること
を特徴とする請求項１に記載の磁性ヘルスケア積層木床板。
【請求項４】
前記磁性シートがさらに、０．５重量部から５重量部までの添加剤Ｃをさらに含み、前記添加剤Ｃは、カップリング剤、硬化剤、硬化促進剤、架橋剤、可塑剤、酸化防止剤、潤滑剤、および安定化剤から成る群から選択された１つまたは複数の種類であることを特徴とする請求項３に記載の磁性ヘルスケア積層木床板。
【請求項５】
形成された前記の磁性シートが、Ｓ−Ｎ−Ｓ−Ｎとして配置された単側複数極、またはＳ−Ｎとして配置された軸方向両側単極の経路によって着磁されることを特徴とする請求項１に記載の磁性ヘルスケア積層木床板。
【請求項６】
形成された前記の磁性シートが、Ｓ−Ｎとして配置された軸方向両側単極の経路によって着磁されることを特徴とする請求項１に記載の磁性ヘルスケア積層木床板。
【請求項７】
請求項１乃至６のいずれか１項に記載の磁性ヘルスケア積層木床板を製造する方法であって、
（１）、耐摩耗層１、装飾層２、および芯層３、または、耐摩耗層１、装飾層２、芯層３、および平衡層４を高温圧縮して複合物にし、次いで複合物を４つの縁部の周りで切削、平削りとフライス削りを行って幅木にする工程と、
（２）適当な接着剤を使用して磁性シート５を芯層３または平衡層４の底部に接着する工程と
を含む方法。
【請求項８】
下記の事前処理工程、すなわち
（ａ）耐摩耗層１、装飾層２、および平衡層４をメラミンフォルムアルデヒド樹脂で個別に含浸する工程と、
（ｂ）磁性シートの様々な成分を混合して均一にし、粉砕または粒状化した後にこれらをシートに加工し、次いでシートを着磁機によって着磁する工程と
をさらに含む請求項７に記載の方法。
【請求項９】
人の血液におけるコレステロールとトリグリセリドの含有量を調整するための請求項１乃至６のいずれか１項に記載の磁性ヘルスケア積層木床板の使用。
【請求項１０】
騒音を低下させて静かにするための請求項１乃至６のいずれか１項に記載の磁性ヘルスケア積層木床板の使用。
【発明の詳細な説明】
【技術分野】
【０００１】
本発明は、屋内フローリング装飾材料、詳しくは磁気ヘルスケア積層木床板、これを調製するための方法、およびこの使用に関する。
【背景技術】
【０００２】
屋内装飾材料は、生活環境の最も重要な部分の１つである。近年、酸化アルミニウム（Ａｌ２Ｏ３）を含む耐摩耗性層１、メラミンフォルムアルデヒド（ＭＦ）樹脂によって含浸した装飾層２（１と２が外表面の中に混合される）、特殊な形の中密度、高密度のファイバボードまたはパーティクルボードの芯層３、および下層としての平衡層４を積層することによって作られた積層木床板（強化木床板と通常呼ばれる、図１）が、摩耗やかき傷に対する耐性、耐燃性、木のきめの自然な感じとしてのすぐれた装飾効果、清掃の容易さ、および耐衝撃性などの際立った利点を理由として、市場において人気のあるフローリング材料となっており、公共の建築物および個人の住宅における屋内フローリングの高級な装飾材料として広く使用されている。
【０００３】
積層床板は屋内の環境を美しくすることができるが、その機能はいかにも単調で、この使用中にフォルムアルデヒドなどの有機ガスを放出して人間の健康を危険にさらすことさえある。近頃は、人間の生活と調和した生活環境の持続可能な開発が主流となっており、人々は、環境を安全かつ確実に美しくすることのみならず、人間の健康のためにもなり、さらにまた健康保護の効力を生ずることを含む、装飾後の屋内環境の質の要件を高めつつある。
【０００４】
地球の外殻における導電性流体の移動として地球磁場が発生するので、強い磁力が連続的に中心から北極と南極との近くに送られ、０．３５〜０．７Ｇまでに達する強い地中磁場を作る。様々な生物体は、生存競争のために地球の環境に適合しなければならない。したがって、広範に存在する地球磁場は生物体の進化と生存に影響することになる。
【０００５】
現代の研究によって、内部組織によって合成された磁性Ｆｅ３Ｏ４ナノ粒子が（人間の脳を含めて）生体の中に存在し、脳、心臓、肺などの人体の生存活動を維持する主要臓器のすべては、非常に弱い磁場を送り出すことができる。すなわち、人間は長期の進化の間にそれ自体の生物学的磁場を形成している。こうして、人体自身と環境（主として地球磁場）の磁気特性およびその変化は、人間の健康に対して重大な影響を及ぼすことになる。ちょうど日光、空気、および水と同様に、地球磁場を人間の健康から分離することはできない。この大きな磁性生物圏の中に長い間生きているにもかかわらず、人々が地球磁場に関心を持つことは、これが見えず触ることもできず臭いもないので、容易ではない。
【０００６】
しかし、自然の地球磁場は屋内では、鉄筋バー、高層ビルにおける配管網などの様々な磁気伝導性材料によって遮蔽され、磁場強度は４０〜５０％減少され、これによってこれらの材料は、人間が長い間適応してきた地球磁性環境を破壊する。したがって、高層ビルの中で長い間居住または働いている人々は、「磁気飢餓症候群」に陥りやすく、この症候群の臨床的徴候には、難治性の頭痛、不眠症、疲れ、関節痛などが含まれる。
【０００７】
中国は、磁気現象を発見し、磁性物質を応用した最初の国であり、典型的な例は、古代における４大発明の１つである羅針盤であり、また磁鉄鉱を治療に使用した歴史は２０００年以上にもなる。現代の生体磁気の研究によって、適用される磁場と環境磁場は生物体に影響し、これらはいわゆる磁気の生体効果であることが示されている。このような効果は磁場の強さ、均一性、および周波数、さらにまた生物体の種、磁場を受ける場所および時間にも関係する。
【０００８】
国内および国外の両方において、磁性床板に関する研究は主として、中国特許ＣＮ２４３７７８６Ｙ、ＣＮ２４５５８２９Ｙ、および米国特許ＵＳ５２７１２００に開示されているものと同様に、主に製造に便利で、交換が容易で、特別の装飾を施すことに関する目的をいかに達成するかに集中している。屋内地球磁場が様々な理由で弱化した現象を改善するための磁性床板の開発が試みられたが、例えば中国特許ＣＮ２１５４８８３Ｙは、プラスチック、ゴム、またはケイ酸塩で作られた支持層と、磁性層とを含む屋内磁性床板を開示しており、磁性層の片側の面に磁性材料が押圧または接着され、これは地面の磁場強度に等価の２７〜５６Ａ／ｍ（０．３３９〜０．７０３Ｇ）の磁場強度をもたらしただけである。そのうえ、ＣＮ１５４４２２２Ａは次のような方法を開示している。すなわち、先ずいくつかの磁石を高密度基板の上に万能接着剤を使用して固定し、装飾層と高密度基板の間に押圧し、次いで耐摩耗層を先に得られた積層の上に成形して、足のマッサージと磁気療法の作用を実行する凸状磁石を形成した。この特許出願は、磁性材料の形式または組成および磁場強度を定義しておらず、ましてそのヘルスケア効果および機構の確証も行っていない。さらに、この工程は複雑で、耐摩耗層とメラミンフォルムアルデヒド樹脂で含浸した装飾層は非常に脆くなり、したがってこの方法は、容易に耐摩耗層と装飾層の脆性破壊をひき起こす可能性があり、大規模な工業生産に使用することはできない。
【０００９】
したがって、簡単な調製方法（積層木床板を調製するために既存の工程と設備に変更なしで基づいて大規模生産を実施することが容易であり、材料の選択が容易であり、適切な費用を特徴とする、）磁性ヘルスケア積層木床板をいかに開発するかは、実用面では重要な意味を持つ。
【００１０】
【特許文献１】中国特許ＣＮ２４３７７８６Ｙ
【特許文献２】中国特許ＣＮ２４５５８２９Ｙ
【特許文献３】米国特許ＵＳ５２７１２００
【特許文献４】中国特許ＣＮ２１５４８８３Ｙ
【特許文献５】中国特許ＣＮ１５４４２２２Ａ
【発明の開示】
【発明が解決しようとする課題】
【００１１】
本発明の目的の１つは、追加磁場を備えた積層木床板を開発し、こうして既存の屋内フローリングの欠点を克服し、地球磁場において弱化した屋内環境を改善し、血液脂質代謝の調整と、人の足の鍼療法の経穴に対する追加磁場の作用の功による微小循環の改善というヘルスケア機能を実現し、さらにフローリング上の歩行によって生ずる騒音を低下させて静かな屋内環境にすることである。
【００１２】
本発明の別の目的は、追加磁場を備えた積層木床板を調製するための方法を提供することである。
【００１３】
本発明のさらに別の目的は、人の血液におけるコレステロールとトリグリセリドのレベルを調整するための追加磁場を備えた積層木床板の使用を用意することである。
【００１４】
本発明のさらに別の目的は、足取りの騒音を低くするための追加磁場を備えた積層木床板の使用を用意することである。
【課題を解決するための手段】
【００１５】
具体的には、本発明は下記の解決策によって実現される。
本発明の磁性ヘルスケア積層木床板は、耐摩耗層１、装飾層２、芯層３、および磁性シート５を、この順番に結合して構成される（図２および３）。
【００１６】
床板表面の磁気誘導強度は、本明細書では１〜２０ｇである。
磁性シート５の頂部には平衡層４が結合されている。
【００１７】
磁性シート５は明細書では下記の重量部によって下記の成分を含む。
Ａ：磁粉      １００
Ｂ：ポリマー  ５〜３０
【００１８】
ここで、磁粉はフェライト系またはＮｄ−Ｆｅ−Ｂ系の永久磁粉であり、ポリマーはゴム、熱可塑性高分子樹脂、および熱硬化性高分子樹脂から成る群から選択された１つまたは複数の種類である。ゴムは、ニトリル・ゴム、クロロプレン・ゴム、およびエチレンプロピレン・ゴムから成る群から選択されることが好ましい。熱可塑性高分子樹脂は、塩素化ポリエチレン、ポリエチレン、ポリ塩化ビニル、ポリプロピレン、エチレンアクリレートコポリマー、およびエチレン酢酸ビニルコポリマーから成る群から選択されることが好ましい。熱硬化性高分子樹脂は、エポキシ樹脂、フェノール樹脂、および不飽和ポリエステルから成る群から選択されることが好ましい。
【００１９】
使用されるべきポリマーの相違によって、本明細書で使用される磁性シート５は添加剤Ｃをさらに含むことがあり、この添加剤Ｃは、カップリング剤、硬化剤、硬化促進剤、架橋剤、可塑剤、酸化防止剤、潤滑剤、および安定化剤から成る群から選択された１つまたは複数の種類である。添加剤Ｃは通常、０．１〜５重量部の量で使用される。上記の配合によって形成された磁性シートは、Ｓ−Ｎ−Ｓ−Ｎとして配置された単側複数極（図４）によって、またはＳ−Ｎとして配置された軸方向両側単極（図５）によって着磁される。
【００２０】
磁性ヘルスケア積層木床板を調製するための方法は、本明細書では次の工程を含む。
（１）、耐摩耗層１、装飾層２、および芯層３、または、耐摩耗層１、装飾層２、芯層３、および平衡層４を高温圧縮して複合物にし、次いで複合物を４つの縁部の周りで切削、平削りとフライス削りを行って幅木にする工程、および
（２）適当な接着剤を使用して磁性シート５を芯層３または平衡層４の底部に接着する工程。
【００２１】
本発明はさらに、下記の事前処理工程を含む。
（ａ）耐摩耗層１、装飾層２、および平衡層４をメラミンフォルムアルデヒド樹脂で個別に含浸する工程、および
（ｂ）磁性シートの様々な成分を混合して均一にし、粉砕または粒状化した後にこれらをシートに加工し、次いでシートを着磁機によって着磁する工程。その後、上記の調製方法で述べた工程（１）または（２）を実施する。
【００２２】
本発明における磁性ヘルスケア積層木床板は、ある一定の磁場強度と方向を有する磁性層を通常の積層木床板の構造に組み立てることによって得られ、こうして、適切な追加磁場を提供して、地球磁場において弱化した屋内環境を改善し、人々が自然に仕事と自宅において磁気療法を享受することが可能になる。
【００２３】
代謝は生命活動の基礎である。正常な人体または動物の血漿における脂質の濃度は相対的な安定性を維持すべきであり、また脂質代謝は平衡を保つべきであるとも言うべきである。酵素は一種の特殊なたんぱく質であり、生体代謝のための触媒でもある。生体の生化学反応はすべて酵素の触媒作用の下で実施される。
【００２４】
本発明において設計された追加磁場の作用の下では、コレステロールを分解するための律速酵素である７α−ヒドロキシラーゼの活動が増大して、これによって生体自体のコレステロールを分解する能力を高めることもある。したがって、生体は、食物から過剰なコレステロールを吸収したときに、追加磁場の作用の下でコレステロールをさらに容易に分解して排出し、ある一定時間内で相対的平衡状態を回復し、これによって正常なレベルの血液脂質を維持する。これは脂質代謝を調整するというヘルスケア効果である。
【００２５】
血液循環の主な任務は、様々な物質と代謝産物を搬送し、次いで代謝を正常に進行可能にすることである。血液の微小循環は小動脈と小静脈の間の血液循環である。いったん微小循環機能の中に障害があると、生理的機能不全に到り、この結果、脂肪過剰血症、特にアテローム性動脈硬化症、心臓の冠状動脈疾患、および脳血管疾患をひき起こすことになる。
【００２６】
血液脂質のレベルの上昇は微小循環の障害をひき起こす重要な要素である。この仕組みは、血液脂質のレベルが上昇すると、多量のコレステロールエステルが血球を満たすまで蓄積し、このような血球は泡沫細胞と呼ばれ、これは動脈の壁に容易に沈殿することができ、動脈を狭くしてその壁を粗くし、血流の抵抗を増すので、血液の流速は遅くなり、血液の微小循環が阻害されることである。この結果、血液は容易に血管外に溢出し、毛細血管の中では静止状態にさえなり、これによって微小循環の障害がひき起こされる。
【００２７】
Ｓｉｃｈｕａｎ  Ｉｎｓｔｉｔｕｔｅ  ｏｆ  Ｎａｔｕｒａｌ  Ｐｈａｒｍａｃｅｕｔｉｃａｌ（国家食品薬品監督管理局によって授与されたＧＬＰ認定を有する）およびＴｅｓｔｉｎｇ  ａｎｄ  Ａｎａｌｙｓｉｓ  Ｃｅｎｔｅｒ  ｏｆ  Ｈｕａｘｉ  Ｐｕｂｌｉｃ  Ｈｅａｌｔｈ  Ｃｏｌｌｅｇｅ，  Ｓｉｃｈｕａｎ  Ｕｎｉｖｅｒｓｉｔｙ（国家衛生部によって指定された健康食品試験機関であり、ＣＭＡ認定を有する）は、機能的動物実験の実施を委託された。結果によれば、本発明の磁性ヘルスケア積層木床板の群に割り当てられたネズミの血液における全コレステロール（ＴＣ）の含有量は、通常の積層木床板の対照的な群におけるものより著しく低く（Ｐ＜０．０１、図６）、本発明の磁性ヘルスケア積層木床板の群に割り当てられたネズミの血液におけるトリグリセリド（ＴＧ）の含有量は、通常の積層木床板の対照的な群におけるものより明らかに低い（Ｐ＜０．０５、図７）ことが示された。本発明の磁性ヘルスケア積層木床板は明らかに、試験したネズミにおけるコレステロールとトリグリセリドを含む血液脂質の上昇を抑制可能であることが示され、これは、本発明の磁性ヘルスケア積層木床板が脂質代謝を調整し微小循環を改善するヘルスケア機能を有し、微小循環に障害によってひき起こされる様々な脂肪過剰血症および心臓血管疾患を防止する積極的な役割を果すことを示唆する。
【００２８】
中国医学によれば、経脈と側枝は、人体の生命力と血液が循環して身体のすべてに行き渡り、すべての組織と器官を全体として繋ぐ通路網として見做されるので、身体の機能が調整される。足は人体の第２の心臓であり、人間の健康には非常に重要である。十二正経のうち、足陽明胃経、足少陰胆嚢経、足太陽膀胱経、足太陰肺経、足厥陰肝経、および足少陰腎経は、これらのすべては足から始まり足の上で終るが、人体の様々な内臓および器官の生理的活動を直接的または間接的に制御することができる。
【００２９】
現代の生物学的磁気によって、鍼治療の経穴は人体の磁場の敏感点であり、その陰部は中心であり、経脈と側枝は電磁気が導通する通路である。対応する経穴に加えられた磁場は経脈と側枝を通って伝達され、身体の機能を調整し、これによって健康増進（ヘルスケア）または療法の目的が達成される。
【００３０】
まさに足の経穴を通る磁気療法の原理に基づいて、本発明の磁性ヘルスケア積層木床板のためのヘルスケア設計は、人の足の経穴に対する追加磁場の作用のおかげで実現される（図８）。
【００３１】
通常の革靴またはハイヒールの靴でフローリングの上を歩行および跳躍することによって発生する（固体音に属する）衝撃音は主な屋内騒音であり、これは、フローリングの構造を通じて伝播するその低い減衰のせいで防音することが一般に困難である。Ｑｉｎｇｈｕａ  ＵｎｉｖｅｒｓｉｔｙのＥｎｖｉｒｏｎｍｅｎｔａｌ  Ｔｅｓｔ  Ｃｅｎｔｅｒ  ｏｆ  Ａｒｃｈｉｔｅｃｔｕｒａｌ  Ｐｈｙｓｉｃｓは、革靴またはハイヒールの靴でフローリングの上を歩行することによって発生する足取りの騒音を測定することを委託された。
【００３２】
試験の結果により、通常の積層木床板と比較して、本発明の磁性ヘルスケア積層木床板の上を革靴で歩行することによって発生する足取りの騒音は、４ｄＢだけ減少し、これは騒音エネルギーの６０％減少と等価であり、ハイヒールの靴で歩行することによって発生する足取りの騒音は、２ｄＢだけ減少し、これは騒音エネルギーの３７％減少と等価であることが示された（図９）。音響生理学の観点から、人間の耳は、≧２ｄＢだけ減少したときには環境騒音の低下を明らかに聞き取ることができる。したがって、本発明の磁性ヘルスケア積層木床板は、騒音を低下させて環境を静かにする明白な効果を有し、人の健康に利益をもたらす。
【００３３】
国内および海外の基準によって示される人間の一定磁場に対する曝露の安全限界は、長期の全身曝露については１０ｍＴであり、長期の手足の曝露については１００ｍＴである。本発明の磁性ヘルスケア積層木床板の表面における一定磁気誘導強度は≦２ｍＴであり、したがってこれは安全であり信頼できる。
【００３４】
その他、マックスウェルの電磁理論は、電磁場が時間と共に変化するとき波を発生することができることを示している。一定磁場の磁場強度は時間と共に変化しないので（ｄＨ／ｄｔ＝０）、本発明の磁性ヘルスケア積層木床板に取り付けられた一定磁場は移動電話やＴＶなどにおける電磁妨害の原因とはならないはずである。
【００３５】
約言すれば、本発明は、特に積層木床板に関して屋内フローリングに欠如しているものを考慮しており、積層木床板の一定の磁場強度と方向を有する磁性シートを底部に積層されまたは組み合わせてあり、したがって表面は人体および屋内環境に安全なある一定の磁気誘導強度にあると考えられ、その表面の性状（木のきめの自然な感じとしての装飾、耐摩耗性、および耐燃性）および包括的な物理的ならびに化学的性質に影響を与えず、したがって、地球磁場において弱化した屋内環境を改善し、人の足の経穴に対する追加磁場の作用によって脂質代謝を調整し、微小循環を改善するヘルスケア機能を実施する。そのうえ、組み立てられた磁性シートは足音の騒音を低下させ、屋内環境を静かにするという役割を果すこともできる（音響的性能は、市場で普及している発泡剤またはコルクを裏張りした積層木床板の性能よりすぐれている）。
【発明を実施するための最良の形態】
【００３６】
本発明を、次の実施例と図を参照してさらに説明する。これらの実施例は、本発明の保護範囲を制限するために使用されるものではないことは明らかである。本発明の保護範囲は添付の特許請求の範囲によって決定される。
【００３７】
図１に示す構造を有する通常の積層木床板を、本発明における対照的な試料として使用した。これは、最初に耐摩耗層１と装飾層２と平衡層４を個別にメラミンフォルムアルデヒド樹脂によって含浸する工程と、次にこれらを高温圧縮して複合物にする工程と、最後に複合物を４つの縁部の周りで切削、平削り、およびフライス削りを行って最終製品にする工程によって調製された。図２に示す構造を有する本発明の磁性ヘルスケア積層木床板は、平衡層４の底部に磁性シート５を適切な接着剤によって接着することによって調製された。本発明において使用されるフローリングのサイズおよび接着剤に、特別の制限はない。実施例に使用される磁性シートは、下記の成分を均一に混合して、粉砕または粒状化した後にこれらをシートに加工し、次いでシートを着磁機によって着磁することによって作られた。磁性シートの性能パラメータを次の通り表記した。
【００３８】
【表１】
2008527214.tif 000003
上記の方法によって調製された床板の性質を以下に表記する。
【００３９】
【表２】
2008527214.tif 000004
注釈：＊個人の歩行の足取りを完全に繰り返すことは不可能であるから、ある床板上の足取り騒音を他の床板上におけるものと比較することにより、重大な誤差が生じることになる。異なる床板の上を歩行することによって生じる騒音を低下させる効果を正確に評価するために、試験では、「標準打撃器具」による比較測定法を使用した。
【００４０】
ＲＴＡ８４０音響測定システムを使用し、測定しようとする２．５ｍ×４．０ｍの床板を、音響試験室の鉄筋コンクリート床の上に設置した。ＧＢＪ７５−８４「ｍｅａｓｕｒｅｍｅｎｔ  ｓｔａｎｄａｒｄ  ｏｆ  ａｒｃｈｉｔｅｃｔｕｒａｌ  ｓｏｕｎｄ  ｉｎｓｕｌａｔｉｏｎ」を参照して、標準打撃器具を衝撃源として使用し、比較試験中に人の足取りをシミュレートした。この比較試験は、先ず標準打撃器具を使用して通常の積層木床板を打撃し、基準値として発生した騒音を測定し、その後に、標準打撃器具を使用して本発明の磁性ヘルスケア積層木床板を打撃し、発生した騒音を測定し、次いでこの値を上記の基準値によって減算して比較値を得ることを必然的に含む。通常の積層木床板の上を歩行する人々（体重８０ｋｇで４２＃の通常の革靴を履いているか、または体重５５ｋｇで３７＃のハイヒール靴を履き、８０ｃｍ歩幅、および１ｍ／秒の速度で歩行する）によって発生する足取りの騒音を実測し、基準として使用し、次に、磁性ヘルスケア積層木床板の上を歩行する人々によって発生する比較可能な足取り騒音を、上記の比較値に基づく変換によって得ることができた。値をＡ特性周波数重み付け法によって処理することによって、人の耳に聞こえる特徴を反映することが好ましい足取り騒音のＡ特性音レベルを得た。
＊＊    国内基準ＧＢ／Ｔ１８１０２−２０００、
＊＊＊  企業基準Ｑ／６２１６０５２５−６．１３−２００５
【００４１】
国家衛生部によって出版された「Ｔｅｃｈｎｉｃａｌ  Ｓｔａｎｄａｒｄｓ  ｏｆ  Ｈｅａｌｔｈ  Ｆｏｏｄ  Ｔｅｓｔ  ａｎｄ  Ｅｖａｌｕａｔｉｏｎ」（２００３年編集）を参照して、試験対象のネズミを対照的実施例群と実施例群とに分割し、各群には１０〜１５匹を含めた。実施例群におけるネズミには、磁性ヘルスケア積層木床板の上で、コレステロールと、コール酸と、プロピルチオウラシルと、油脂とを含む高脂肪の餌を胃管栄養法によって（１日に１回、ネズミ体重１００ｇ当り１ｍ?の用量で）給餌し、一方対照的実施例群のネズミには、同じ餌を追加磁場のない通常の積層木床板の上で給餌した。２０日後に、ネズミに麻酔をかけて、４ｍｌの血液を腹部大動脈から採取し、このうち３ｍｌをヘパリンナトリウムによって血液凝固を防止し、全血液粘性および血漿粘性を測定するために使用し、１ｍｌを３０００ｒｐｍの回転速度で遠心分離して血清を取り出し、次に血清中のＴＧ、ＴＣ、ＨＤＬ−Ｃ、およびＬＤＬ−Ｃの含有量を測定し、全コレステロールに基づくＨＤＬ−ＣおよびＬＤＬ−Ｃの比（ＨＤＬ−Ｃ／ＴＣ、ＬＤＬ−Ｃ／ＴＣ）を計算した。結果値をｔテストにかけた。
【００４２】
動物実験に基づいて、本発明における実施例と対照的実施例の磁気の生体効果を次のように評価した。
【００４３】
試験したネズミにおける血液脂質の上昇の抑制に対する本発明の磁性ヘルスケア積層木床板の効果は次の通りである（ｘ±ＳＤ）。
【００４４】
【表３】
2008527214.tif 000005
注釈：＊ｔ試験により対照的実施例と比較した、Ｐ＜０．０５
＊＊ｔ試験により対照的実施例と比較した、Ｐ＜０．０１
【００４５】
試験したネズミにおける血液脂質の上昇の抑制に対する本発明の磁性ヘルスケア積層木床板の効果は次の通りである（ｘ±ＳＤ）。
【００４６】
【表４】
2008527214.tif 000006
注釈：＊ｔ試験により対照的実施例と比較した、Ｐ＜０．０５
【００４７】
試験したネズミにおける血液粘性の上昇の抑制に対する本発明の磁性ヘルスケア積層木床板の効果は次の通りである（ｘ±ＳＤ）。
【００４８】
【表５】
2008527214.tif 000007
注釈：＊ｔ試験により対照的実施例と比較した、Ｐ＜０．０５
【図面の簡単な説明】
【００４９】
【図１】通常の積層木床板の構造を示す図である。
【図２】磁性ヘルスケア積層木床板の構造を示す図である。
【図３】磁性ヘルスケア積層木床板の断面図である。
【図４】磁性シートの単側複数極磁路を示す図である。
【図５】磁性シートの軸方向両側単極磁路を示す図である。
【図６】試験したネズミの血液中コレステロールの上昇の抑制に対する磁性ヘルスケア積層木床板の効果を説明する図である。
【図７】試験したネズミの血液中トリグリセリドの上昇の抑制に対する磁性ヘルスケア積層木床板の効果を説明する図である。
【図８】人の足に作用する磁性ヘルスケア積層木床板の機構を示す図である。
【図９】磁性ヘルスケア積層木床板の上を歩行することによって起る騒音のスペクトルを説明する図である。
【図１】
2008527214.tif 000008
【図２】
2008527214.tif 000009
【図３】
2008527214.tif 000010
【図４】
2008527214.tif 000011
【図５】
2008527214.tif 000012
【図６】
2008527214.tif 000013
【図７】
2008527214.tif 000014
【図８】
2008527214.tif 000015
【図９】
2008527214.tif 000016
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
磁性ヘルスケア積層木床板であって、順番に結合された耐摩耗層１、装飾層２、芯層３、および磁性シート５を含み、表面の磁気誘導強度が１から２０Ｇまでであり、前記磁性シート５が次の成分を重量部に基づいて含み、
Ａ：磁粉      １００
Ｂ：ポリマー  ５から３０まで
前記磁粉はフェライト系またはＮｄ−Ｆｅ−Ｂ系の永久磁粉であり、前記ポリマーはゴム、熱可塑性高分子樹脂、および熱硬化性高分子樹脂から成る群から選択された１つまたは複数の種類であること
を特徴とする磁性ヘルスケア積層木床板。
【請求項２】
平衡層４が磁性シート５の頂部に結合されていることを特徴とする請求項１に記載の磁性ヘルスケア積層木床板。
【請求項３】
前記磁性シートがさらに、０．５重量部から５重量部までの添加剤Ｃをさらに含み、前記添加剤Ｃは、カップリング剤、硬化剤、硬化促進剤、架橋剤、可塑剤、酸化防止剤、潤滑剤、および安定化剤から成る群から選択された１つまたは複数の種類であることを特徴とする請求項１に記載の磁性ヘルスケア積層木床板。
【請求項４】
形成された前記の磁性シートが、Ｓ−Ｎ−Ｓ−Ｎとして配置された単側複数極、またはＳ−Ｎとして配置された軸方向両側単極の経路によって着磁されることを特徴とする請求項１乃至３のいずれか１項に記載の磁性ヘルスケア積層木床板。
【請求項５】
形成された前記の磁性シートが、Ｓ−Ｎとして配置された軸方向両側単極の経路によって着磁されることを特徴とする請求項４に記載の磁性ヘルスケア積層木床板。
【請求項６】
請求項１乃至５のいずれか１項に記載の磁性ヘルスケア積層木床板を製造する方法であって、
（１）、耐摩耗層１、装飾層２、および芯層３、または、耐摩耗層１、装飾層２、芯層３、および平衡層４を高温圧縮して複合物にし、次いで複合物を４つの縁部の周りで切削、平削りとフライス削りを行って幅木にする工程と、
（２）適当な接着剤を使用して磁性シート５を芯層３または平衡層４の底部に接着する工程と
を含む方法。
【請求項７】
下記の事前処理工程、すなわち
（ａ）耐摩耗層１、装飾層２、および平衡層４をメラミンフォルムアルデヒド樹脂で個別に含浸する工程と、
（ｂ）磁性シートの様々な成分を混合して均一にし、粉砕または粒状化した後にこれらをシートに加工し、次いでシートを着磁機によって着磁する工程と
をさらに含む請求項６に記載の方法。
【請求項８】
人の血液におけるコレステロールとトリグリセリドの含有量を調整するための請求項１乃至５のいずれか１項に記載の磁性ヘルスケア積層木床板の使用。
【請求項９】
騒音を低下させて静かにするための請求項１乃至５のいずれか１項に記載の磁性ヘルスケア積層木床板の使用。
【国際調査報告】
2008527214.tif 000017
2008527214.tif 000018
2008527214.tif 000019
2008527214.tif 000020